(57)【要約】【課題】バリヤ・フリーに配慮した、しかも狭框アルミ扉に適合するレバーハンドル錠を提案すると共に、防犯性が向上を図ること。【解決手段】錠箱を扉の帯桟に形成した空洞部に内装することができるように横長状に形成し、該横長状錠箱には、合鍵又はサムターン摘みの操作に基づいてデッドボルトを機械的に出没させ、かつ室内側からねじ込まれる複数の固定具を介して空洞部の壁部に固定される内外の取付け座と一体的に結合されたシリンダ錠を有する本締り装置と、シリンダ錠に対して外側レバーハンドルの軸部或いは角軸が横方向に並ぶように位置付けると共に、該外側レバーハンドルの操作に基づいてラッチボルトを機械的に出没させるハンドルカムを備えた仮締り装置をそれぞれ設けた狭框アルミ扉レバーハンドル錠。【選択図】図７
2011127319.tif 000002
【特許請求の範囲】
【請求項１】
錠箱を扉の帯桟に形成した空洞部に内装することができるように横長状に形成し、該横長状錠箱には、合鍵又はサムターン摘みの操作に基づいてデッドボルトを機械的に出没させ、かつ室内側からねじ込まれる複数の固定具を介して前記空洞部の壁部に固定される内外の取付け座と一体的に結合されたシリンダ錠を有する本締り装置と、前記シリンダ錠に対して外側レバーハンドルの軸部或いは角軸が横方向に並ぶように位置付けると共に、該外側レバーハンドルの操作に基づいてラッチボルトを機械的に出没させるハンドルカムを備えた仮締り装置をそれぞれ設けた狭框アルミ扉用レバーハンドル錠。
【請求項２】
請求項１に於いて、シリンダ錠の駆動軸と、外側レバーハンドルの軸部或いは角軸は、所定間隔離間して水平線上に位置することを特徴とする狭框アルミ扉用レバーハンドル錠。
【請求項３】
請求項１に於いて、シリンダ錠並びに外側レバーハンドルは、扉の外壁面に固定される外側座に、該外側座に併設形成されたシリンダ錠用嵌合孔と外側レバーハンドルの軸部用嵌合孔をそれぞれ介して取付けられていることを特徴とする狭框アルミ扉用レバーハンドル錠。
【請求項４】
請求項１に於いて、仮締り装置を構成する付勢手段は、ハンドルカムの作動腕と錠箱の後壁との間の上部空間に横方向に配設されていることを特徴とする狭框アルミ扉用レバーハンドル錠。
【発明の詳細な説明】
【技術分野】
【０００１】
本発明はレバーハンドル錠に関し、特に狭框アルミ扉用レバーハンドル錠に関する。
【背景技術】
【０００２】
本締り付きモノロックは、周知のように、握り玉の中心にシリンダ錠を備え、該シリンダ錠の駆動軸を中心して、握り玉を回転操作すると、錠箱内に組み込まれた仮締り装置がラッチボルトを機械的に出没させ、一方、合鍵をシリンダ錠の内筒に差し込み、かつ回転操作すると、前記錠箱内に組み込まれた本締り装置がデッドボルトを機械的に出没させる。特許文献１に記載の本締り付きモノロック（以下、「モノロック錠」という）の基本的構成も前記と同様である。
【０００３】
しかして、特許文献１のモノロック錠の錠箱は、縦と横の長さが略同一であり、扉の自由端部の空洞部に内装することができるものであるが、（ａ）いわゆる狭框アルミ扉、例えば扉の中央部に帯桟（胴桟）を有し、該帯桟を基準として上框、下框、前・後の縦框等の間に単数または複数枚のガラスが存在する狭框アルミ・ガラス扉用には適合しない。
【０００４】
けだし、帯桟の上下幅よりも、モノロック錠の錠箱の上下幅が大きいからである。（ｂ）そこで、前記問題点を解消するために、モノロック錠の錠箱を小型化しかつ横長状に形成して帯桟の空洞部に内装することができるモノロック錠も実施化されているが、モノロック錠に共通して言える問題点は、操作手段が握り玉なので、バリヤ・フリーの観点から、最近、敬遠されていることである。また、握り玉がもぎ取られると、シリンダ錠が容易に扉或いは錠箱から抜き取られる危険性が大きいことである。
【０００５】
この点、特許文献２に記載のモノロック錠は、モノロック錠の防犯性の向上を図るために、錠箱を扉の内壁面に固定（いわゆるモノロック錠を面付け錠型に）し、該錠箱の中に裏板を固定的に設け、該裏板には扉を貫通する固定筒を一体的に設け、さらに、該固定筒にシリンダ錠を固定的に組み込み、握り玉手を回しても、シリンダ錠は握り玉手と共に回転しないようにすると共に、握り玉手が攻撃対象となって破壊されても、容易にシリンダ錠を錠箱から抜き取られないようにしたものである。
【０００６】
なお、特許文献２のモノロック錠は、室内側からは、レバーハンドルの操作でラッチボルトを機械的に出没させることができる事項が記載されているものの、扉の外壁面の操作部材は握り玉なので、基本的には、「ノブ錠型」のモノロック錠である。したがって、特許文献２のモノロック錠も特許文献１のそれと共通の問題点を有している。
【０００７】
また、特許文献２のモノロック錠は、面付け錠型に属するので、扉の帯桟に形成した空洞部に内装することができない、シリンダ錠をノブに組み込むのが容易でない等の問題点がある。
【先行技術文献】
【特許文献】
【０００８】
【特許文献１】特公昭３１−１３９８号公報
【特許文献２】特公昭４７−４５０７６号公報
【発明の概要】
【発明が解決しようとする課題】
【０００９】
本発明の所期の目的は、（イ）バリヤ・フリーに配慮した、しかも狭框アルミ扉に適合するレバーハンドル錠を提案すること、（ロ）また、防犯性の向上を図ること、（ハ）錠箱の内部空間を有効的に活用すること、である。
【課題を解決するための手段】
【００１０】
本発明の狭框アルミ扉用レバーハンドル錠は、錠箱を扉の帯桟に形成した空洞部に内装することができるように横長状に形成し、該横長状錠箱には、合鍵又はサムターン摘みの操作に基づいてデッドボルトを機械的に出没させ、かつ室内側からねじ込まれる複数の固定具を介して前記空洞部の壁部に固定される内外の取付け座と一体的に結合されたシリンダ錠を有する本締り装置と、前記シリンダ錠に対して外側レバーハンドルの軸部或いは角軸が横方向に並ぶように位置付けると共に、該外側レバーハンドルの操作に基づいてラッチボルトを機械的に出没させるハンドルカムを備えた仮締り装置をそれぞれ設けたことを特徴とする。
【００１１】
上記構成に於いて、シリンダ錠の駆動軸と、外側レバーハンドルの軸部或いは角軸は、所定間隔離間して水平線上に位置することを特徴とする。また、シリンダ錠並びに外側レバーハンドルは、扉の外壁面に固定される横長状外側座に、該横長状外側座に併設形成されたシリンダ錠用嵌合孔と外側レバーハンドルの軸部用嵌合孔をそれぞれ介して取付けられていることを特徴とする。
【発明の効果】
【００１２】
（イ）錠箱を扉の帯桟に形成した空洞部に内装することができるように横長状に形成し、該横長状錠箱には、合鍵又はサムターン摘みの操作に基づいてデッドボルトを機械的に出没させる本締り装置と、外側レバーハンドルの操作に基づいてラッチボルトを機械的に出没させるハンドルカムを備えた仮締り装置とをそれぞれ設けたので、バリヤ・フリーに配慮した、しかも狭框アルミ扉に適合するレバーハンドル錠を提案することができる。
（ロ）シリンダ錠は、固定具を介して空洞部に固定される内外の取付け座と一体的に結合されているので、操作部材を抜き取ることにより、シリンダ錠が攻撃されるという事態を解消することができる。したがって、防犯性が向上する。
（ハ）請求項２、請求項４に記載の発明は、例えばシリンダ錠の駆動軸と、外側レバーハンドルの軸部或いは角軸は、所定間隔離間して水平線上に位置したので、横長状の錠箱内の空間を有効的に活用し、本締り装置と仮締り装置をそれぞれ合理的に組み込むことができる。
（ニ）その他、内外の取付け座、複数個の固定具等を用いたので、シリンダ錠又はレバーハンドルをそれぞれ別個に交換や修理ができる。
【図面の簡単な説明】
【００１３】
図１乃至図１０は、本発明の一実施例を示す各概略説明図。
【図１】狭框アルミ扉の帯桟に適用した概略説明図。
【図２】実施環境を示す分解斜視図。
【図３】室外（扉の外壁面）側から見た概略説明図。
【図４】室内（扉の内壁面）側から見た概略説明図。
【図５】扉の帯桟を横断面で示した状態の概略説明図。
【図６】錠箱に対して、内外の横長状座、シリンダ錠、サムターン摘み、内外のレバーハンドルの位置関係を示す概略説明図。
【図７】錠箱に組み込んだ本締り装置と仮締り装置の概略説明図。
【図８】錠箱の後壁側から見た仮締り装置の要部を示す概略説明図。
【図９】仮締り装置の作用を示す概略説明図。
【図１０】仮締り装置の作用を示す概略説明図。
【発明を実施するための最良の形態】
【００１４】
図１乃至図１０を参照にして、本発明の一実施例を説明する。まず、図１は狭框アルミ扉（以下、「扉」という）１の帯桟（胴桟）２に適用した概略説明図である。この図１に於いて、１ａは扉（戸）の自由端部、１ｂは扉の吊基端部である。背景技術の欄で説明したように、扉１は、その中央部に帯桟２を有し、該帯桟２を基準として、不番の上框、下框、前・後の縦框等の間に単数または複数枚のガラス３、３が存在する。
【００１５】
図２で示すように、帯桟２には、横長状に形成された錠箱５を、余裕をもって収納することができる空洞部６が形成されている。この空洞部６の戸先側の開口から錠箱５を差し込むことができる。錠箱５を空洞部６に挿入すると、錠箱５のフロント板７が、自由端部１ａの端面に形成した浅い切欠部分１ｃにぴったりと嵌まる。浅い切欠部分１ｃの上下部位の垂直壁面には、不番のネジ穴が形成されているので、フロント板７の上下端部の不番の貫通孔に複数個の第１固着具８，８をそれぞれ差し込み、これらの第１固着具８，８を前記不番のネジ穴にねじ込むことによって横長状錠箱５は扉１の空洞部６内に固定的に内装される。
【００１６】
扉１の外壁及び内壁の一部分に相当する空洞部６を形成する内外の壁部２ａ、２ｂ（図６参照）には、シリンダ錠用開口９、第２固定具（例えば固定螺杆）乃至サムターン軸用開口１０、レバーハンドルの角軸用開口１１、１１及び連結杆用開口１２，１２がそれぞれ横方向に所定間隔に形成されている。本実施例では、扉１の外壁面及び内壁面の加工を最小限度に抑えるために、空洞部６を形成する内外の壁部２ａ、２ｂの開口は前記開口（合計６個）だけである。これらの開口９、１０、１１、１１、１２，１２に対応して、取付け座としての横長状外側座１４と横長状内側座１５には、それぞれ取り付け孔やメネジが形成されている。
【００１７】
次に、図２を参照にして、これらの取り付け孔やメネジを説明すると、横長状外側座１４の符号１４ａはシリンダ錠１６用嵌合孔、１４ｂはシリンダ錠用嵌合孔１４ａに併設形成された外側レバーハンドル１７の軸部用嵌合孔、１４ｃは該軸部用嵌合孔１４ｂに併設形成された連結杆１８用ネジ部である。
【００１８】
これに対して、横長状内側座１５の符号１５ａはサムターン座２１及び該横長状内側座１５を空洞部６の内壁面２ｂに固定し、かつ横長状外側座１４の嵌合孔１４ａ等に嵌合するシリンダ錠１６を固定するための第２固定具（例えば固定螺杆）２２等のサムターン摘み２０用嵌合孔、１５ｂは該嵌合孔１５ａに併設形成された内側レバーハンドル２５の軸部用嵌合孔、１５ｃは前述した連結杆１８用の貫通小孔である。
【００１９】
次に、図３は、空洞部６の外壁２ａに固定された横長状外側座１４に、シリンダ錠１６と、外側レバーハンドル１７がそれぞれ水平方向に配設されていることを示す。付言すると、シリンダ錠１６の駆動軸１２ａと、外側レバーハンドル１７の軸部１７ａ或いは角軸２４は、所定間隔離間して水平線Ｌ上に位置する。
【００２０】
一方、図４は、空洞部６の内壁２ｂに固定された横長状内側座１５に、サムターン座２１を介してサムターン摘み２０と、内側レバーハンドル２５がそれぞれ水平方向に配設されていることを示す。付言すると、サムターン摘み２０のサムターン軸２０ａと、内側レバーハンドル２５の軸部２５ａは、所定間隔離間して水平線Ｌ上に位置する。
【００２１】
次に、図５及び図６は、複数本の第２固定具（例えば固定螺杆）２２，２２、ネジ１９を含む連結手段１８等でもって、内外の横長状座１４，１５が一体的に結合し、これらの内外の横長状座１４，１５及びサムターン座２１を介して、ハンドル錠Ｘに必要なシリンダ錠１６、サムターン摘み２０及び内外のレバーハンドル２５、１７が取り付けられた状態を示す。なお、各部材の取り付け手順の詳細は割愛する。また、内外のレバーハンドル２５、１７は角軸２４を介して一体的に連結されており、前記角軸２４は、図７で示す仮締り装置Ｙを構成するハンドルカムの角孔を貫通している。
【００２２】
次に、図７乃至図１０を参照にして、仮締り装置Ｙと本締り装置Ｚを説明する。本発明のレバーハンドル錠Ｘは、錠箱５を扉１の帯桟２に形成した空洞部６に内装することができるように横長状に形成し、該横長状錠箱５には、合鍵又はサムターン摘み２０の操作に基づいてデッドボルトを機械的に出没させるシリンダ錠１６を有する本締り装置Ｚと、前記シリンダ錠に対して外側レバーハンドル１７の軸部１７ａ或いは角軸２４が並ぶように位置付けると共に、該外側レバーハンドルの操作に基づいてラッチボルトを機械的に出没させる仮締り装置Ｙとをそれぞれ設けたことを特徴とする。特に、本締り装置Ｚのシリンダ錠１６は、防犯性の向上を図るために、室内側からねじ込まれる複数の固定具を介してサムターン座２１及び空洞部２の壁部２ａ，２ｂに固定される内外の横長状取付け座１５，１４と一体的に結合される。
【００２３】
まず、仮締り装置Ｙの構成部材を説明する。例えば図７を参照にすると、３１は錠箱５の後端部側に設けられたハンドルカムで、このハンドルカム３１の角穴には角軸２４が貫通しているので、外側レバーハンドル１７又は内側レバーハンドル２５の握り部１７ｂ、２５ｂを押し下げると、不番のストッパーの位置までハンドルカム３１は所定量回転する。
【００２４】
次に、３２はハンドルカム３１のかぎ形作動腕３１ａに圧接する付勢手段で、この付勢手段３２は内外のレバーハンドル２５，１７を常に初期位置、つまり、握り部１７ｂ、２５ｂが水平状態に戻る位置へと付勢している。本実施例の付勢手段３２は、前記かぎ形作動腕３１ａと錠箱５の後壁５ｂとの間の上部空間に横方向に配設されている。
【００２５】
しかして、付勢手段３２は、錠箱の両側壁に直接又は図示しない案内支板を介して間接的に水平方向へ案内される摺動子と、該摺動子３３をかぎ形作動腕３１ａに圧接する方向へと付勢するバネ３４とから成り、前記バネ３４の両端部は、錠箱側のバネ端支持ピン３５と摺動子３３の後端部のバネ端支持凹所３６にそれぞれ支持されている。また、前記摺動子３３の後端部には、その下端面から水平方向に延伸するバネ支持部分３７が連設形成され、該バネ支持部分３７の下面中央部には係合片３８が突設されている。この係合片３８は、錠箱５の底壁内面に沿って水平移動可能な長杆状連結杆４０の後端部に設けた垂直板状被係合部分４１と面接触に係合している。そして、係合片３８とバネ支持部分３７には補強片３９が設けられている。
【００２６】
４２は長杆状連結杆４０の先端部に一体的に設けられたラッチボルトで、このラッチボルト４２は、ラッチ軸４２ａの先端部にラッチ本体４２ｂを有している。４３は垂直板状被係合部分４１と錠箱５の後壁５ｂとの間に設けられた復帰バネ（戻しバネ）で、この復帰バネ４３はラッチボルト４２を常に突出する方向へと付勢している。
【００２７】
したがって、仮締り装置Ｙは、錠箱５の後端部側に回転自在に内設されたハンドルカム３１と、このハンドルカム３１のかぎ形作動腕３１ａと錠箱５の後壁５ｂとの間に水平状態に組み込まれた付勢手段３２と、該付勢手段３２を構成する摺動子３３に設けられた係合片３８と、該係合片３８と被係合部分４１を介して係合し、かつ錠箱５の底壁内面に沿って水平移動可能な長杆状連結杆４０と、この長杆状連結杆４０の先端部に設けられたラッチボルト４２と、該ラッチボルト４２を常に突出する方向へと付勢する復帰バネ４３とから構成されている。
【００２８】
上記構成に於いて、例えば図９で示すように、外側のレバーハンドル１７の握り部１７ｂを押し下げると、ハンドルカム３１が付勢手段３２の付勢力に抗して時計方向へと回転し、その結果、ラッチボルト４２が錠箱５内に後退する。そして、前記握り部１７ｂから手を放すと、外側のレバーハンドル１７及びラッチボルト４２は、各付勢手段３２、４３の付勢力により、それぞれ初期位置へと復帰する。
【００２９】
次に、図１０を参照にして本締り装置Ｚを説明する。５０は錠箱５の中央部（中央部寄りの部位も含む）内に回動自在に設けられたダルマ（作動カム）で、このダルマ５０の異径孔には、シリンダ錠１６の駆動軸１６ａ並びにサムターン摘み２０のサムターン軸２０ａが直接又は間接的にそれぞれ係合し、例えば合鍵Ｋを回転操作すると、矢印方向（解錠方向）に回転する。周知のように、本施錠片としてのデッドボルト５５は、ダルマ５０の作動腕５２が選択的に係合する係合切欠５７が設けられている。そして、デッドボルト５５の先端部５８寄りの部位には、バネ支持部５９が設けられ、かつこのバネ支持部５９にはクリックバネ６０が巻かれている。クリックバネ６０の短い方の一端部６０ａはデッドボルト５５の上壁内面に圧接し、一方、長い方の他端部６０ｂは、ダルマ５０の作動腕５２の先端部に圧接している。
【００３０】
上記構成に於いて、操作手段（合鍵Ｋ、サムターン摘み２０）の操作力によりダルマ５０が回転すると、デッドボルト５５は錠箱５に直接又は一対の案内板を介して錠箱５から出没する。
【実施例】
【００３１】
復帰バネ４３は、本実施例では、長杆状連結杆４０の後端部と錠箱５の後壁５ｂとの間の下部空間に配設されているが、該復帰バネ４３は、例えば錠箱の側壁中央部にバネ端用支板を設ける構成により、側壁中央部に配設することもできる。したがって、復帰バネ４３の配設位置は、発明の本質的事項ではない。また、付勢手段３２は、錠箱の内部空間を有効的に活用するために、望ましくは形作動腕３１ａと錠箱５の後壁５ｂとの間の上部空間に横方向に配設されている。
【００３２】
また、本実施例では、シリンダ錠１６は、複数の固定具（例えば固定螺杆）２２，２２を介してサムターン座２１及び空洞部の壁部に固定される内外の横長状取付け座１５、１４と一体的に結合されているが、もちろん、内側の取付け座１５にサムターン座２１の機能を持たせても良い。この場合には、孔１５ａの径をやや小さくして、内側の取付け座１５に複数の固定具を適宜に形成する。
【産業上の利用可能性】
【００３３】
錠前や建具の業界で用いられる。
【符号の説明】
【００３４】
Ｘ…狭框アルミ扉レバーハンドル錠、Ｙ…仮締り装置、Ｚ…本締り装置、１…扉、１ａ…自由端部、２…帯桟（胴桟）、２ａ…外壁面、２ｂ…内壁面、５…錠箱、６…空洞部、９…開口、１４…外側座、１４ａ…シリンダ錠用嵌合孔、１４ｂ…外側レバーハンドルの軸部用嵌合孔、１５…横長状内側座、１６…シリンダ錠、１７…外側レバーハンドル、１８…連結杆、２５…内側レバーハンドル、１７ｂ、２５ｂ…握り部、２０…サムターン摘み、２０ａ…サムターン軸、２１…サムターン座、２２…第２固定具（例えば固定螺杆）、２４…角軸、３１…ハンドルカム、３２…付勢手段、３３…摺動子、３８…係合片、４０…長杆状連結杆、４２…ラッチボルト、４３…復帰バネ、５０…ダルマ。
【図１】
2011127319.tif 000003
【図２】
2011127319.tif 000004
【図３】
2011127319.tif 000005
【図４】
2011127319.tif 000006
【図５】
2011127319.tif 000007
【図６】
2011127319.tif 000008
【図７】
2011127319.tif 000009
【図８】
2011127319.tif 000010
【図９】
2011127319.tif 000011
【図１０】
2011127319.tif 000012